(57)【要約】【課題】入力軸側の動力を、確実かつ滑らかに出力軸側に伝達する無段変速機を提供する。【解決手段】複数のスプロケット８ａを、入力軸１ａの周囲に前記入力軸１ａとの距離を調節可能に設けるとともに、前記複数のスプロケット８ａのそれぞれの一部分が外部に露出するように、円錐母線方向に複数のスリット５ａを設けた円錐体４ａを前記入力軸１ａの周囲に設けた入力軸関連部（１ａ、４ａ、５ａ、８ａ）と、同様の構造を備えた出力軸関連部（１ｂ、４ｂ、５ｂ、８ｂ）を、前記円錐体４ａ、４ｂの外部に露出している前記複数のスプロケット８ａ、８ｂのそれぞれの一部分にチェーン９を巻き掛けることにより、連動させる。【選択図】　図１
2004052930.tif 000002
【特許請求の範囲】
【請求項１】
複数のスプロケット（８ａ）を、入力軸（１ａ）の周囲に前記入力軸（１ａ）との距離を調節可能に設けるとともに、前記複数のスプロケット（８ａ）のそれぞれの一部分が外部に露出するように、円錐母線方向に複数のスリット（５ａ）を設けた円錐体（４ａ）を前記入力軸（１ａ）の周囲に設けた入力軸関連部（１ａ、４ａ、５ａ、８ａ）と、同様の構造を備えた出力軸関連部（１ｂ、４ｂ、５ｂ、８ｂ）を、前記円錐体（４ａ、４ｂ）の外部に露出している前記複数のスプロケット（８ａ、８ｂ）のそれぞれの一部分にチェーン（９）を巻き掛けることにより、連動させたことを特徴とする無段変速機。
【請求項２】
請求項１記載の無段変速機において、前記スプロケット（８ａ、８ｂ）を、一方向のみ回転自在にしたことを特徴とする無段変速機。
【発明の詳細な説明】
【０００１】
【発明の属する技術分野】
本発明は、無段変速機に関するものである。
【０００２】
【従来の技術】
従来の無段変速機として、ベルト式無段変速機や、トロイダル式無段変速機などがあった。また、図５に示すような、チェーンと多数のスプロケットを利用したものがあった。
【０００３】
【発明が解決しようとする課題】
従来のベルト式無段変速機や、トロイダル式無段変速機は、動力の伝達を主に摩擦に頼っており、エネルギー損失や、装置自体への負担が大きく、出力の大きい原動機を搭載した乗り物などには、利用することができなかった。また、図５に示すような無段変速機は、チェーンの一部分が多角形であるために、装置が作動時に激しく振動し、滑らかに動力を伝達することができなかった。
【０００４】
本発明の目的は、入力軸側の動力を、確実かつ滑らかに出力軸側に伝達することにより、エネルギー損失や、装置自体への負担を軽減し、一般の乗り物に搭載することが可能な、無段変速機を提供することにある。
【０００５】
【課題を解決するための手段】
前記目的を達成するために、請求項１記載の発明では、図１、図２に示すように、複数のスプロケット８ａを、入力軸１ａの周囲に前記入力軸１ａとの距離を調節可能に設けるとともに、前記複数のスプロケット８ａのそれぞれの一部分が外部に露出するように、円錐母線方向に複数のスリット５ａを設けた円錐体４ａを前記入力軸１ａの周囲に設けた入力軸関連部（１ａ、４ａ、５ａ、８ａ）と、同様の構造を備えた出力軸関連部（１ｂ、４ｂ、５ｂ、８ｂ）を、前記円錐体４ａ、４ｂの外部に露出している前記複数のスプロケット８ａ、８ｂのそれぞれの一部分にチェーン９を巻き掛けることにより、連動させている。また、請求項２記載の発明では、前記スプロケット８ａ、８ｂを、一方向のみ回転自在にしている。
【０００６】
【実施例】
以下、図面を用いて本発明の実施例を説明する。図２は、本発明の実施例の上面図であり、図１は、その断面図である。また、図３は、図１、図２に示した実施例における別の変速比選択時の例を示す上面図であり、図４は、その断面図である。
【０００７】
本実施例の無段変速機では、変速時に、スプロケット支持体６ａ、６ｂが、それぞれ、入力軸及び出力軸に沿って移動することにより、スプロケット８ａ、８ｂが、それぞれ、スプロケットガイド部材３ａ、３ｂに沿って、入力軸及び出力軸の垂直方向に移動し、それに伴って、チェーン９の部分円弧径が変化して、目的の変速比を獲得する（図１、図２、図３、図４）。
【０００８】
円錐体４ａは、入力軸１ａに固定されており、変速時、無変速時に関わらず、常に、チェーン９の一部分を円弧状に保つ働きをして、入力軸側から出力軸側への滑らかな動力の伝達を実現する役割をする。また、出力軸側の円錐体５ｂも同様である。なお、円錐体４ａ、４ｂの円錐面の外側表面は、摩擦が小さいほど好ましい。
【０００９】
スプロケット支持体ガイド部材２ａは、円錐体４ａの内部に入力軸１ａと平行に固定されており、入力軸１ａからの動力を、変速時、無変速時に関わらず、常に、スプロケット支持体６ａに伝達する役割をする。また、出力軸側のスプロケット支持体ガイド部材２ｂも同様に、円錐体４ｂの内部に出力軸１ｂと平行に固定されており、スプロケット支持体６ｂからの動力を、変速時、無変速時に関わらず、常に、出力軸１ｂに伝達する役割をする。
【００１０】
スプロケットガイド部材３ａは、円錐体４ａの内側に円錐母線と平行に固定されているとともに、スプロケット８ａとスプロケットガイドスリット７ａの中を貫通することにより、変速時にスプロケット支持体６ａの移動に伴って、スプロケット８ａを入力軸の垂直方向に移動させ、目的の変速比（チェーン９の部分円弧径）を獲得する役割をする。また、変速時、無変速時に関わらず、常に、スプロケット８ａの一部分がスリット５ａから円錐体４ａの外部に露出している状態を維持する。また、出力軸側のスプロケットガイド部材３ｂも同様である。
【００１１】
なお、スプロケット８ａ（８ｂ）を入力軸（出力軸）の垂直方向に移動する手段は、リンク機構を利用するなど、他にも様々存在する。
【００１２】
スプロケット支持体６ａは、入力軸１ａの周囲に、軸方向に移動自在に設けられており、スプロケット８ａ及びチェーン９を支持するとともに、スプロケットガイド部材３ａ及び円錐体４ａ上の目的の変速比（チェーン９の部分円弧径）の場所まで、スプロケット８ａ及びチェーン９を移動させる役割をする。その際、使用する動力源としては、油圧や電気モーターなどが考えられる。また、出力軸側のスプロケット支持体６ｂも同様である。
【００１３】
スプロケット８ａ、８ｂは、それぞれ、複数のスプロケットの一部分を組み合わせることにより、直径を変更自在な仮想スプロケットを形成する役割をする。さらに、スプロケット８ａ、８ｂをラチェット機構などにより、一方向のみ回転自在にすることによって、入力軸１ａからの動力を出力軸１ｂに確実に伝達させるとともに、変速時に伝達力を維持したまま隣接する各スプロケット間の距離を滑らかに変化させることを可能にした。
【００１４】
チェーン９は、入力軸側から出力軸側に、動力を伝達する。
【００１５】
本実施例では、円錐体４ａ、４ｂを、それぞれ、入力軸１ａ、出力軸１ｂに固定し、スプロケット支持体６ａ、６ｂを、軸方向に移動自在に設けたが、円錐体４ａ、４ｂを、軸方向に移動自在に設け、スプロケット支持体６ａ、６ｂを、それぞれ、入力軸１ａ、出力軸１ｂに固定することもできる。
【００１６】
【発明の効果】本発明の無段変速機は、以上説明したように構成されているので、入力軸側の動力を、確実かつ滑らかに出力軸側に伝達することができる。
【図面の簡単な説明】
【図１】本発明の実施例の断面図である。
【図２】本発明の実施例の上面図である。
【図３】本発明の実施例の別の変速比選択時の例を示す上面図である。
【図４】本発明の実施例の別の変速比選択時の例を示す断面図である。
【図５】従来の無段変速機の例を示す正面図である。
【符号の説明】
１ａ，２ａ，３ａ，４ａ，５ａ，６ａ，７ａ，８ａ　入力軸関連部
１ｂ，２ｂ，３ｂ，４ｂ，５ｂ，６ｂ，７ｂ，８ｂ　出力軸関連部
１ａ　入力軸
１ｂ　出力軸
２ａ，２ｂ　スプロケット支持体ガイド部材
３ａ，３ｂ　スプロケットガイド部材
４ａ，４ｂ　円錐体
５ａ，５ｂ　スリット
６ａ，６ｂ　スプロケット支持体
７ａ，７ｂ　スプロケットガイドスリット
８ａ，８ｂ　スプロケット
９　，１０　チェーン
【図１】
2004052930.tif 000003
【図２】
2004052930.tif 000004
【図３】
2004052930.tif 000005
【図４】
2004052930.tif 000006
【図５】
2004052930.tif 000007